(57)【特許請求の範囲】
【請求項１】
集積回路および通信回路を有する第１の通信装置と、前記集積回路との間で接触式または非接触式でデータの授受を行い前記集積回路に係わるサービスに用いられる処理装置と、前記通信回路を介して前記集積回路との間でデータの授受を行い前記集積回路に係わるサービスに用いられる第２の通信装置を用いた通信を行う通信方法であって、
前記通信回路が、前記第２の通信装置にサービス利用要求を送信し、
前記サービス利用要求に応じて、前記通信回路を介して前記集積回路と前記第２の通信装置との間で第１の相互認証を行い、
前記第１の相互認証によって前記集積回路と前記第２の通信装置とが互いの正当性を認証すると、前記第２の通信装置が前記通信回路に前記サービスの利用許可通知を行い、
前記通信回路が、前記利用許可通知に応じて、前記集積回路に中継要求を送信し、
前記集積回路が、前記中継要求に応じて、前記第２の通信装置と前記処理装置との間の通信を中継し、
前記第２の通信装置と前記処理装置との間で第２の相互認証を行い、当該第２の相互認証によって前記第２の通信装置と前記処理装置とが互いの正当性を認証すると、前記集積回路および前記通信装置を介して前記第２の通信装置と前記処理装置とが相互に通信を行って前記サービスに係わる処理を行う
通信方法。
【請求項２】
集積回路および通信回路を有する第１の通信装置と、前記集積回路との間で接触式または非接触式でデータの授受を行い前記集積回路に係わるサービスに用いられる処理装置と、前記通信回路を介して前記集積回路との間でデータの授受を行い前記集積回路に係わるサービスに用いられる第２の通信装置とを有する通信システムであって、
前記通信回路が、前記第２の通信装置にサービス利用要求を送信し、
前記サービス利用要求に応じて、前記通信回路を介して前記集積回路と前記第２の通信装置との間で第１の相互認証を行い、
前記第１の相互認証によって前記集積回路と前記第２の通信装置とが互いの正当性を認証すると、前記第２の通信装置が前記通信回路に前記サービスの利用許可通知を行い、
前記通信回路が、前記利用許可通知に応じて、前記集積回路に中継要求を送信し、
前記集積回路が、前記中継要求に応じて、前記第２の通信装置と前記処理装置との間の通信を中継し、
前記第２の通信装置と前記処理装置との間で第２の相互認証を行い、当該第２の相互認証によって前記第２の通信装置と前記処理装置とが互いの正当性を認証すると、前記集積回路および前記通信装置を介して前記第２の通信装置と前記処理装置とが相互に通信を行って前記サービスに係わる処理を行う
通信システム。
【請求項３】
集積回路および通信回路を有する第１の通信装置と、前記集積回路との間で接触式または非接触式でデータの授受を行い前記集積回路に係わるサービスに用いられる処理装置と、前記通信回路を介して前記集積回路との間でデータの授受を行い前記集積回路に係わるサービスに用いられる第２の通信装置と用いた通信を行う通信方法であって、
前記集積回路と前記処理装置との間で第１の相互認証を行い、
前記第１の相互認証によって前記集積回路と前記処理装置とが互いの正当性を認証すると、前記集積回路と前記処理装置とが相互に通信を行って前記サービスに係わる第１の処理を行い、
前記第１の処理終了後に、前記集積回路が前記通信回路と前記処理装置との間の通信を中継し、
前記処理装置と前記第２の通信装置との間で第２の相互認証を行い、前記第２の相互認証によって前記処理装置と前記第２の通信装置とが互いの正当性を認証すると、前記集積回路および前記通信装置を介して前記処理装置と前記第２の通信装置とが相互に通信を行って前記サービスに係わる第２の処理を行う
通信方法。
【請求項４】
集積回路および通信回路を有する第１の通信装置と、前記集積回路との間で接触式または非接触式でデータの授受を行い前記集積回路に係わるサービスに用いられる処理装置と、前記通信回路を介して前記集積回路との間でデータの授受を行い前記集積回路に係わるサービスに用いられる第２の通信装置とを有する通信システムであって、
前記集積回路と前記処理装置との間で第１の相互認証を行い、
前記第１の相互認証によって前記集積回路と前記処理装置とが互いの正当性を認証すると、前記集積回路と前記処理装置とが相互に通信を行って前記サービスに係わる第１の処理を行い、
前記第１の処理終了後に、前記集積回路が前記通信回路と前記処理装置との間の通信を中継し、
前記処理装置と前記第２の通信装置との間で第２の相互認証を行い、前記第２の相互認証によって前記処理装置と前記第２の通信装置とが互いの正当性を認証すると、前記集積回路および前記通信装置を介して前記処理装置と前記第２の通信装置とが相互に通信を行って前記サービスに係わる第２の処理を行う
通信システム。
【請求項５】
前記処理装置が、前記第１の処理を終了した後に、前記集積回路および前記通信装置を介して前記第２の通信装置にアクセスを行い、前記アクセスに応じて、前記処理装置および前記第２の通信装置が前記第２の相互認証を開始する
請求項４に記載の通信システム。
【発明の詳細な説明】
【０００１】
【発明の属する技術分野】
本発明は、集積回路（ＩＣ：Integrated Circuit) を内蔵した通信装置を用いた通信方法およびそのシステム、並びに、これらに用いられる通信装置および処理装置に関する。
【０００２】
【従来の技術】
現在、ＩＣカードなどのＩＣデバイスを用いた電子商取引が行われている。
このようなＩＣデバイス（集積回路）を用いた電子商取引では、店舗などに設置された取引装置（処理装置）が、接触式あるいは非接触式でＩＣデバイスと通信すると共に、例えばネットワークや専用回線などを介してＩＣサービス提供サーバ装置と通信を行っている。
【０００３】
【発明が解決しようとする課題】
しかしながら、上述した従来の電子商取引では、店舗などに設置された取引装置は、ＩＣデバイスとの間の通信機能とは別に、ＩＣサービス提供サーバ装置との間の通信機能も有している必要があり、大規模化するという問題がある。また、複数の取引装置とＩＣサービス提供サーバ装置との間で通信を行うために、スイッチングシステムが必要になり、システムの構成が複雑になるという問題もある。
【０００４】
本発明は上述した問題点に鑑みてなされ、ＩＣを用いた電子商取引を行うシステムにおいて取引装置（処理装置）を含むシステム全体の構成を簡単にでき、小規模化を図れる通信方法およびそのシステム、通信装置および処理装置を提供することを目的とする。
【０００５】
上述した来技術の問題点を解決し、上述した目的を達成するために、第１の発明の通信方法は、集積回路および通信回路を有する第１の通信装置と、前記集積回路との間で接触式または非接触式でデータの授受を行い前記集積回路に係わるサービスに用いられる処理装置と、前記通信回路を介して前記集積回路との間でデータの授受を行い前記集積回路に係わるサービスに用いられる第２の通信装置を用いた通信を行う通信方法であって、前記通信回路が、前記第２の通信装置にサービス利用要求を送信し、前記サービス利用要求に応じて、前記通信回路を介して前記集積回路と前記第２の通信装置との間で第１の相互認証を行い、前記第１の相互認証によって前記集積回路と前記第２の通信装置とが互いの正当性を認証すると、前記第２の通信装置が前記通信回路に前記サービスの利用許可通知を行い、前記通信回路が、前記利用許可通知に応じて、前記集積回路に中継要求を送信し、前記集積回路が、前記中継要求に応じて、前記第２の通信装置と前記処理装置との間の通信を中継し、前記第２の通信装置と前記処理装置との間で第２の相互認証を行い、当該第２の相互認証によって前記第２の通信装置と前記処理装置とが互いの正当性を認証すると、前記集積回路および前記通信装置を介して前記第２の通信装置と前記処理装置とが相互に通信を行って前記サービスに係わる処理を行う。
【０００６】
第２の発明の通信システムは、集積回路および通信回路を有する第１の通信装置と、前記集積回路との間で接触式または非接触式でデータの授受を行い前記集積回路に係わるサービスに用いられる処理装置と、前記通信回路を介して前記集積回路との間でデータの授受を行い前記集積回路に係わるサービスに用いられる第２の通信装置とを有する通信システムであって、前記通信回路が、前記第２の通信装置にサービス利用要求を送信し、前記サービス利用要求に応じて、前記通信回路を介して前記集積回路と前記第２の通信装置との間で第１の相互認証を行い、前記第１の相互認証によって前記集積回路と前記第２の通信装置とが互いの正当性を認証すると、前記第２の通信装置が前記通信回路に前記サービスの利用許可通知を行い、前記通信回路が、前記利用許可通知に応じて、前記集積回路に中継要求を送信し、前記集積回路が、前記中継要求に応じて、前記第２の通信装置と前記処理装置との間の通信を中継し、前記第２の通信装置と前記処理装置との間で第２の相互認証を行い、当該第２の相互認証によって前記第２の通信装置と前記処理装置とが互いの正当性を認証すると、前記集積回路および前記通信装置を介して前記第２の通信装置と前記処理装置とが相互に通信を行って前記サービスに係わる処理を行う。
【０００７】
第３の発明の通信方法は、集積回路および通信回路を有する第１の通信装置と、前記集積回路との間で接触式または非接触式でデータの授受を行い前記集積回路に係わるサービスに用いられる処理装置と、前記通信回路を介して前記集積回路との間でデータの授受を行い前記集積回路に係わるサービスに用いられる第２の通信装置と用いた通信を行う通信方法であって、前記集積回路と前記処理装置との間で第１の相互認証を行い、前記第１の相互認証によって前記集積回路と前記処理装置とが互いの正当性を認証すると、前記集積回路と前記処理装置とが相互に通信を行って前記サービスに係わる第１の処理を行い、前記第１の処理終了後に、前記集積回路が前記通信回路と前記処理装置との間の通信を中継し、前記処理装置と前記第２の通信装置との間で第２の相互認証を行い、前記第２の相互認証によって前記処理装置と前記第２の通信装置とが互いの正当性を認証すると、前記集積回路および前記通信装置を介して前記処理装置と前記第２の通信装置とが相互に通信を行って前記サービスに係わる第２の処理を行う。
【０００８】
第４の発明の通信システムは、集積回路および通信回路を有する第１の通信装置と、前記集積回路との間で接触式または非接触式でデータの授受を行い前記集積回路に係わるサービスに用いられる処理装置と、前記通信回路を介して前記集積回路との間でデータの授受を行い前記集積回路に係わるサービスに用いられる第２の通信装置とを有する通信システムであって、前記集積回路と前記処理装置との間で第１の相互認証を行い、前記第１の相互認証によって前記集積回路と前記処理装置とが互いの正当性を認証すると、前記集積回路と前記処理装置とが相互に通信を行って前記サービスに係わる第１の処理を行い、前記第１の処理終了後に、前記集積回路が前記通信回路と前記処理装置との間の通信を中継し、前記処理装置と前記第２の通信装置との間で第２の相互認証を行い、前記第２の相互認証によって前記処理装置と前記第２の通信装置とが互いの正当性を認証すると、前記集積回路および前記通信装置を介して前記処理装置と前記第２の通信装置とが相互に通信を行って前記サービスに係わる第２の処理を行う。
【００２０】
【発明の実施の形態】
以下、本発明の実施形態に係わる通信システムについて説明する。
第１実施形態
図１は、本実施形態の通信システム１の全体構成図である。
図１に示すように、通信システム１は、例えば、ゲートウェイ１０、ＩＣ＿Ｒ／Ｗ装置１５、ＩＣサービス提供装置１２、ＩＣサービス提供サーバ装置１３および携帯電話装置１４を有する。
携帯電話装置１４とＩＣサービス提供サーバ装置１３とは、携帯電話通信網などの無線通信回線１７、ゲートウェイ１０、並びにインターネットなどのネットワーク１８を介して通信を行う。
また、携帯電話装置１４とＩＣ＿Ｒ／Ｗ装置１５とは、例えば、無線通信を行う。
【００２１】
また、ＩＣ＿Ｒ／Ｗ装置１５とＩＣサービス提供サーバ装置１３とは、例えば、携帯電話装置１４、無線通信回線１７、ゲートウェイ１０、並びにネットワーク１８を介して通信を行う。
また、携帯電話装置１４は、携帯通信機能部２０およびＩＣ２１を有する。
【００２２】
図１に示すＩＣ＿Ｒ／Ｗ装置１５が本発明の処理装置に対応している。
また、携帯電話装置１４が、第１、第２、第４、第６、第７、第８、第１０、第１１、第１２、第１３、第１４の発明の第１の通信装置、第３および第９の発明の通信装置、並びに第５の発明の他の通信装置に対応している。
また、ＩＣサービス提供サーバ装置１３が、第１、第２、第４、第６、第７、第８、第１０、第１１、第１２、第１３、第１４の発明の第２の通信装置、第３および第９の発明の他の通信装置、並びに第５の発明の通信装置に対応している。
【００２３】
先ず、図１に示す通信システム１の動作の一例の概要を説明する。
図２は、図１に示す通信システム１の動作例の概要を説明するための図である。
ユーザＡが、店舗３０を訪れ、携帯電話装置１４の画面上で利用サービスを選択する（図２に示す▲１▼）。
次に、携帯電話装置１４の携帯通信機能部２０が、無線通信回線１７およびネットワーク１８を介してＩＣサービス提供サーバ装置１３にアクセスを行う（図２に示す▲２▼）。
次に、ＩＣ２１と、ＩＣサービス提供サーバ装置１３とが通信を行い、真正性の確認を行う（図２に示す▲３▼）。当該確認は、例えば、予め決められた暗証情報を用いて行ってもよい。
次に、ユーザＡが、携帯電話装置１４をＩＣ＿Ｒ／Ｗ装置１５に近づける（図２に示す▲４▼）。
次に、ＩＣ＿Ｒ／Ｗ装置１５とＩＣサービス提供サーバ装置１３とが、ＩＣ２１、携帯通信機能部２０、無線通信回線１７およびネットワーク１８を介して通信を行い、ＩＣ２１を用いて提供されるサービスに関する処理を行う（図２に示す▲５▼）。
【００２４】
このように、通信システム１によれば、ＩＣ＿Ｒ／Ｗ装置１５とＩＣサービス提供サーバ装置１３との間の通信を携帯電話装置１４を介して行うことから、ＩＣ＿Ｒ／Ｗ装置１５は、ネットワーク１８などに接続するための機能を有している必要がない。
【００２５】
以下、図１に示す通信システム１の各構成要素について詳細に説明する。
〔ゲートウェイ１０〕
ゲートウェイ１０は、携帯電話などの無線通信回線１７とネットワーク１８との間の通信を中継する装置である。
【００２６】
〔ＩＣサービス提供サーバ装置１３〕
ＩＣサービス提供サーバ装置１３は、携帯通信機能部２０、ＩＣ２１およびＩＣ＿Ｒ／Ｗ装置１５と通信を行い、ＩＣ２１を用いて提供されるサービスに係わる処理を行う。
【００２７】
図３は、ＩＣサービス提供サーバ装置１３の機能ブロック図である。
図３に示すように、ＩＣサービス提供サーバ装置１３は、例えば、ＳＡＭ(Secure Application Module) ５１、メモリ５２、制御部５３およびＩ／Ｆ部５４を有する。
【００２８】
図４は、図３に示すＳＡＭ５１の機能ブロック図である。
ＳＡＭ５１は、耐タンパ性のハードウェアあるいはソフトウェアのモジュールである。
ＳＡＭ５１は、図４に示すように、認証部６１、暗号・復号部６２、ＩＣ制御部６３およびＩＣ関連処理部６４を有する。
認証部６１は、後述するＩＣ２１との間の相互認証、並びにＩＣ＿Ｒ／Ｗ装置１５との間の相互認証を行う。
【００２９】
暗号・復号部６２は、例えば、メモリ５２に書き込むデータやアプリケーションプログラムの暗号化、並びにメモリ５２から読み出したデータやアプリケーションプログラムの復号を行う。
【００３０】
ＩＣ制御部６３は、例えば、ＩＣ２１との間の通信制御を行う。
ＩＣ関連処理部６４は、ＩＣ２１と間で連携して所定のサービスに係わる処理を行う。
【００３１】
メモリ５２は、ＩＣ２１の仮想メモリとして用いられ、ＩＣ２１を用いたサービスに係わるデータやアプリケーションプログラムを記憶する。
【００３２】
制御部５３は、ＩＣサービス提供サーバ装置１３の処理を統括して制御する。
図５は、制御部５３の機能ブロック図である。
図５に示すように、制御部５３は、ポータル部７１、ユーザＩ／Ｆ部７２、ＡＰ（アプリケーションプログラム）実行部７３、ＳＡＭ制御部７４およびメモリ制御部７５を有する。
ポータル部７１は、例えば、携帯電話装置１４からのアクセスに応じてポータル機能を実現し、例えば、携帯電話装置１４の表示部に、提供可能なサービスのメニュー画面などを表示する。
ユーザＩ／Ｆ部７２は、携帯通信機能部２０の表示部３４に表示するユーザＩ／Ｆ画面を制御する。
ＡＰ実行部７３は、メモリ５２から読み出したアプリケーションプログラムを実行する。
ＳＡＭ制御部７４は、ＳＡＭ５１を用いた処理を制御する。
メモリ制御部７５は、メモリ５２内に記憶されるデータおよびアプリケーションプログラムを管理する。
【００３３】
〔携帯電話装置１４〕
図１に示すように、携帯電話装置１４は、携帯通信機能部２０およびＩＣ２１を有する。
ここで、携帯通信機能部２０が本発明の通信回路に対応し、ＩＣ２１が本発明の集積回路に対応している。
＜携帯通信機能部２０＞
図６は、図１に示す携帯通信機能部２０の機能ブロック図である。
図６に示すように、携帯通信機能部２０は、例えば、音声入出力部３１、Ａ／Ｄ・Ｄ／Ａ変換部３２、ＤＳＰ３３、表示部３４、操作部３５、ＩＣ＿Ｉ／Ｆ部３６、メモリ３７、制御部３８、ベースバンド処理部３９および無線部４０を有する。
【００３４】
音声入出力部３１は、Ａ／Ｄ・Ｄ／Ａ変換部３２から入力したアナログの音声信号に応じた音声を出力するスピーカと、入力した音声に応じたアナログの音声信号を生成してＡ／Ｄ・Ｄ／Ａ変換部３２に出力するマイクとを有する。
【００３５】
Ａ／Ｄ・Ｄ／Ａ変換部３２は、ＤＳＰ３３から入力したデジタルの音声信号をアナログの音声信号に変換して音声入出力部３１に出力する。
また、Ａ／Ｄ・Ｄ／Ａ変換部３２は、音声入出力部３１から入力したアナログの音声信号をデジタルの音声信号に変換してＤＳＰ３３に出力する。
【００３６】
ＤＳＰ３３は、デジタルの音声信号の帯域圧縮処理などを行う。
表示部３４は、制御部３８から入力した表示信号に応じた画像を表示する例えば液晶ディスプレイである。
操作部３５は、操作ボタンなどであり、ユーザによる当該操作ボタンの操作に応じた操作信号を制御部３８に出力する。
ＩＣ＿Ｉ／Ｆ部３６は、図１に示すＩＣ２１との間でデータの授受を行う、ＵＡＲＴ（Ｕｎｉｖｅｒｓａｌ  Ａｓｙｎｃｈｒｏｎｏｎｓ  Ｒｅｃｅｉｖｅｒ  Ｔｒａｎｓｍｉｔｔｅｒ），ＩＣ２，ＵＳＢ，ＩＥＥＥ１３９４などのインタフェースである。
メモリ３７は、制御部３８およびベースバンド処理部３９における処理に必要なアプリケーションプログラムおよびデータを記憶する。
メモリ３７は、例えば、携帯通信機能部２０に着脱できない状態で固定されているものでもよいし、あるいは、メモリカードなどの携帯通信機能部２０に着脱可能に装着されるものでもよい。
【００３７】
制御部３８は、携帯通信機能部２０の処理を統括的に制御し、図７に示す制御部４８によって制御されると共に、制御部４８を制御する。
ベースバンド処理部３９は、ベースバンド処理を行う。
無線部４０は、アンテナ１７を介して授受されるデータ（信号）の増幅、検波およびＩＱ信号の生成などの処理を行う。
【００３８】
＜ＩＣ２１＞
ＩＣ２１は、ＩＣ２１内の処理およびデータ、並びに外部との間で授受するデータの不正を監視および改竄を防止できる耐タンパ性の集積回路であり、ＩＣ＿Ｒ／Ｗ装置１５およびＩＣサービス提供装置１２を用いて提供される予め決められた種々のサービスに係わる処理を行う。
図７は、図１に示すＩＣ２１の機能ブロック図である。
図７に示すように、ＩＣ２１は、例えば、Ｉ／Ｆ部４５、メモリ４６、アナログ部４７および制御部４８を有する。
Ｉ／Ｆ部４５は、図６に示す携帯通信機能部２０のＩＣ＿Ｉ／Ｆ部３６との間でデータの授受を有線方式あるいは無線方式で行うインタフェースである。
メモリ４６は、制御部４８の処理に必要なデータおよびアプリケーションプログラムを記憶する。なお、メモリ４６は、ＩＣ２１を用いて提供される種々のサービスのうち全部または一部のサービスに用いられるアプリケーションプログラムを記憶していてもよい。
アナログ部４７は、アンテナ４９を介してＩＣ＿Ｒ／Ｗ装置１５との間で無線方式で授受するデータ（信号）を増幅するなどのアナログ処理を行う。
【００３９】
制御部４８は、ＩＣ２１の処理を統括して制御する。
制御部４８は、メモリ４６から読み出したアプロケーションプログラムを実行する。当該アプロケーションプログラム内には、後述するように、真正確認フラグ（本発明の真正確認データ）があり、当該真正確認フラグの論理値が後述するようにＩＣサービス提供サーバ装置１３によって設定される。
制御部４８は、図６に示す携帯通信機能部２０の制御部３８によって制御される共に、制御部３８を制御する。
ベースバンド処理部３９は、無線部４０との間で授受される信号のベースバンド処理を行う。
このように、携帯通信機能部２０およびＩＣ２１によれば、Ｉ／Ｆ部４５およびＩＣ＿Ｉ／Ｆ部３６を設けたことで相互間での通信が可能になる。
【００４０】
〔ＩＣ＿Ｒ／Ｗ装置１５〕
図８は、図１に示すＩＣ＿Ｒ／Ｗ装置１５の機能ブロック図である。
図８に示すように、ＩＣ＿Ｒ／Ｗ装置１５は、アンテナ８１、アナログ部８２、ベースバンド処理部８３、メモリ８４および制御部８５を有する。
【００４１】
アナログ部８２は、アンテナ８１を介してＩＣ２１との間で無線方式で授受するデータ（信号）を増幅するなどのアナログ処理を行う。
ベースバンド処理部８３は、アナログ部８２との間で授受される信号のベースバンド処理を行う。
メモリ８４は、制御部８５の処理に必要なデータおよびアプリケーションプログラム（ＩＣ２１を用いて提供されるサービスに関するアプリケーションプログラム）を記憶する。
【００４２】
制御部８５は、ＩＣ＿Ｒ／Ｗ装置１５の処理を統括して制御する。
【００４３】
ＩＣ＿Ｒ／Ｗ装置１５は、サービス提供者の店舗３０などに設置され、携帯電話装置１４に内蔵されたＩＣ２１との間で接触方式あるいは非接触方式でデータの授受を行い、ＩＣ２１を用いて行われるサービスに係わる処理を行う。本実施形態では、ＩＣ＿Ｒ／Ｗ装置１５とＩＣ２１との間で非接触方式（無線方式）でデータの授受が行われる場合を例示する。
ＩＣ＿Ｒ／Ｗ装置１５は、後述するように、携帯電話装置１４を介して、ＩＣサービス提供サーバ装置１３と通信を行いながら、ＩＣ２１を用いて提供されるサービスに関する処理を行う。
本実施形態の上記サービスとしては、例えば、本人（個人）認証、電子マネー、電子商取引およびチケット発行などの秘匿性のある処理を伴うサービスがある。
【００４４】
以下、図１に示す通信システム１の動作例を説明する。
なお、以下、携帯通信機能部２０とＩＣサービス提供サーバ装置１３との間の通信は図１に示す無線通信回線１７、ゲートウェイ１０およびネットワーク１８を介して行われ、携帯通信機能部２０とＩＣ２１との間の通信は図６に示すＩＣ＿Ｉ／Ｆ部３６および図７に示すＩ／Ｆ部４５を介して行われ、ＩＣ２１とＩＣ＿Ｒ／Ｗ装置１５との間の通信は図７に示すアンテナ４９および図８に示すアンテナ８１を介して行われる。
【００４５】
〔第１の動作例〕
以下、ＩＣ２１とＩＣサービス提供サーバ装置１３との間で相互認証を行った後に、ＩＣサービス提供サーバ装置１３とＩＣ＿Ｒ／Ｗ装置１５との間で相互認証を行い、続いて、ＩＣサービス提供サーバ装置１３とＩＣ＿Ｒ／Ｗ装置１５との間で通信を行いながらサービスに関する処理を連携して行う場合の通信システム１の動作例を説明する。
第１の動作例は、第１〜第７の発明に対応している。
【００４６】
図９は、当該動作例を説明を行うためのフローチャートである。
以下、図９に示す各ステップについて説明する。
ステップＳＴ１：
ユーザＡが図６に示す携帯電話装置１４の携帯通信機能部２０の操作部３５を操作し、当該操作に応じて表示部３４の画面上で、これから利用しようとするＩＣ２１を用いて提供されるサービスを選択する。
【００４７】
ステップＳＴ２：
携帯通信機能部２０は、ＩＣサービス提供サーバ装置１３にアクセスを行い、ステップＳＴ１で選択されたサービスの識別情報をＩＣサービス提供サーバ装置１３に送信する。
【００４８】
ステップＳＴ３：
ＩＣサービス提供サーバ装置１３は、ステップＳＴ２で携帯通信機能部２０からのアクセスを受けると、認証要求を携帯通信機能部２０に送信する。
【００４９】
ステップＳＴ４：
携帯通信機能部２０は、ステップＳＴ３で受信した認証要求に応じて、ＩＣ２１に認証要求を送信する。
【００５０】
ステップＳＴ５：
携帯通信機能部２０は、ステップＳＴ４で認証要求を受信すると、携帯通信機能部２０を介して、ＩＣサービス提供サーバ装置１３との間で相互認証を行う。
【００５１】
ステップＳＴ６：
ＩＣサービス提供サーバ装置１３がステップＳＴ２で受信した識別情報を基にユーザＡによる当該サービスの利用が可能であると判断し、ステップＳＴ５の相互認証によって互いの正当性が認証されると、ＩＣサービス提供サーバ装置１３が携帯通信機能部２０の表示部３４にサービス利用可能表示を行う。
【００５２】
ステップＳＴ７：
携帯通信機能部２０からＩＣ２１に中継要求が送信される。
【００５３】
ステップＳＴ８：
ユーザＡが、携帯電話装置１４とＩＣ＿Ｒ／Ｗ装置１５とが無線通信可能な位置に携帯電話装置１４を位置させる。
【００５４】
ステップＳＴ９：
ステップＳＴ７で受信した中継要求に応じてＩＣ２１がＩＣ＿Ｒ／Ｗ装置１５と携帯通信機能部２０との間の通信を中継し、携帯通信機能部２０およびＩＣ２１を介して、ＩＣサービス提供サーバ装置１３とＩＣ＿Ｒ／Ｗ装置１５との間で相互認証が行われる。
【００５５】
ステップＳＴ１０：
ステップＳＴ９の相互認証によって互いの正当性が認証されると、ＩＣ２１がＩＣ＿Ｒ／Ｗ装置１５と携帯通信機能部２０との間の通信を中継し、携帯通信機能部２０およびＩＣ２１を介して、ＩＣサービス提供サーバ装置１３とＩＣ＿Ｒ／Ｗ装置１５とが連携しながら、ＩＣ２１を用いて提供されるサービスに関する処理を行う。
【００５６】
ステップＳＴ１１：
ステップＳＴ１０の処理が終了すると、ＩＣサービス提供サーバ装置１３が携帯通信機能部２０の表示部３４に、当該サービスの利用履歴を表示する。
【００５７】
〔第２の動作例〕
以下、ＩＣ２１とＩＣ＿Ｒ／Ｗ装置１５との間で相互認証を行った後に連携してサービスに関する処理を行い、続いて、ＩＣサービス提供サーバ装置１３とＩＣ＿Ｒ／Ｗ装置１５との間で相互認証を行った後に連携してサービスに関する処理を連携して行う場合の通信システム１の動作例を説明する。
第２の動作例は、第７〜１０の発明に対応した実施形態である。
図１０は、当該動作例を説明するためのフローチャートである。
【００５８】
ステップＳＴ２１：
ユーザＡが、ＩＣ２１とＩＣ＿Ｒ／Ｗ装置１５とが無線通信可能な位置に携帯電話装置１４を位置させる。
【００５９】
ステップＳＴ２２：
ＩＣ２１とＩＣ＿Ｒ／Ｗ装置１５とが相互認証を行う。
【００６０】
ステップＳＴ２３：
ステップＳＴ２２の相互認証によって互いの正当性が認証されると、携帯電話装置１４のＩＣ２１とＩＣ＿Ｒ／Ｗ装置１５とが通信して連携しながら、ＩＣ２１を用いて提供されるサービスに関する処理を行う。
この場合に、ＩＣ２１の制御部４８は、メモリ４６から読み出したアプリケーションプログラムを実行する。
【００６１】
ステップＳＴ２４：
ＩＣ＿Ｒ／Ｗ装置１１がＩＣ２１にアクセス要求を送信する。
【００６２】
ステップＳＴ２５：
ＩＣ２１が、ステップＳＴ２４で受信したアクセス要求に応じて、携帯通信機能部２０にアクセス要求を送信する。
【００６３】
ステップＳＴ２６：
携帯通信機能部２０が、ステップＳＴ２５で受信したアクセス要求に応じて、ＩＣサービス提供サーバ装置１３にアクセス要求を送信する。
【００６４】
ステップＳＴ２７：
携帯通信機能部２０が、ＩＣ２１に中継要求を送信する。
【００６５】
ステップＳＴ２８：
ステップＳＴ２７の中継要求に応じてＩＣ２１がＩＣ＿Ｒ／Ｗ装置１１と携帯通信機能部２０との間の通信を中継し、携帯通信機能部２０およびＩＣ２１を介してＩＣサービス提供サーバ装置１３とＩＣ＿Ｒ／Ｗ装置１５との間で相互認証が行われる。
【００６６】
ステップＳＴ２９：
ステップＳＴ２８の相互認証によって互いの正当性が認証されると、携帯通信機能部２０およびＩＣ２１を介して、ＩＣサービス提供サーバ装置１３とＩＣ＿Ｒ／Ｗ装置１５とが連携しながら、ＩＣ２１を用いて提供されるサービスに関する処理を行う。
【００６７】
ステップＳＴ３０：
ステップＳＴ２９の処理が終了すると、ＩＣサービス提供サーバ装置１３が携帯通信機能部２０の表示部３４に、当該サービスの利用履歴を表示する。
【００６８】
ステップＳＴ３１：
ＩＣ＿Ｒ／Ｗ装置１５が、表示部に処理終了表示を行う。
【００６９】
〔第３の動作例〕
以下、ＩＣ２１とＩＣサービス提供サーバ装置１３との間で相互認証を行った後にＩＣサービス提供サーバ装置１３がＩＣ２１のアプロケーションプログラムの真正確認フラグを立て、続いて、ＩＣ＿Ｒ／Ｗ装置１５が上記真正確認フラグを検証した後にサービスに係わる処理を行う場合の通信システム１の動作例を説明する。
当該動作例は、第１１および第１２の発明に対応している。
図１１は、当該動作例を説明するためのフローチャートである。
【００７０】
ステップＳＴ４１：
携帯通信機能部２０上で動作するブラウザがＩＣサービス提供サーバ装置１３にアクセスを行う。
【００７１】
ステップＳＴ４２：
ＩＣサービス提供サーバ装置１３から携帯通信機能部２０に認証要求が送信される。
【００７２】
ステップＳＴ４３：
ステップＳＴ４２の認証要求に応じて、携帯通信機能部２０からＩＣ２１に認証要求が送信される。
【００７３】
ステップＳＴ４４：
ステップＳＴ４３で受信した認証要求に応じて、ＩＣ２１とＩＣサービス提供サーバ装置１３とが相互認証を行う。
【００７４】
ステップＳＴ４５：
ステップＳＴ４４の相互認証によって互いの正当性が認証されると、ＩＣサービス提供サーバ装置１３がＩＣ２１にアクセスを行い、ＩＣ２１が実行するアプロケーションプログラムの真正確認フラグを立てる（第１の論理値「１」にする）。
【００７５】
ステップＳＴ４６：
ユーザＡが、ＩＣ２１とＩＣ＿Ｒ／Ｗ装置１５とが無線通信可能な位置に携帯電話装置１４を位置させる。
【００７６】
ステップＳＴ４７：
ＩＣ＿Ｒ／Ｗ装置１５が、ＩＣ２１が実行するアプロケーションプログラムの真正確認フラグが立っているか否かを検証する。
【００７７】
ステップＳＴ４８：
ＩＣ＿Ｒ／Ｗ装置１５が、ステップＳＴ４７で真正確認フラグが立っていることを確認した場合に、メモリ８４からアプロケーションプログラムを読み出して、ＩＣ２１を用いて提供されるサービスに関する処理を行う。
【００７８】
ステップＳＴ４９：
ＩＣ＿Ｒ／Ｗ装置１１とＩＣサービス提供サーバ装置１３とが相互認証を行う。
【００７９】
ステップＳＴ５０：
ステップＳＴ４９の相互認証によって互いの正当性が認証されると、ＩＣ＿Ｒ／Ｗ装置１５がＩＣサービス提供サーバ装置１３に、ステップＳＴ４８のサービスに関する処理の内容を通知する。
【００８０】
〔第４の動作例〕
以下、ＩＣ２１とＩＣ＿Ｒ／Ｗ装置１５との間で相互認証を行った後に、ＩＣサービス提供サーバ装置１３とＩＣ＿Ｒ／Ｗ装置１５とが相互認証を行い、続いて、ＩＣサービス提供サーバ装置１３とＩＣ＿Ｒ／Ｗ装置１５とが通信を行って連携してＩＣ２１を用いて提供されるサービスに関する処理を行う場合の通信システム１の動作例を説明する。
当該動作例は、第１３および第１４の発明に対応している。
【００８１】
図１２は、当該動作例を説明するためのフローチャートである。
ステップＳＴ６１：
ユーザＡが図６に示す携帯電話装置１４の携帯通信機能部２０の操作部３５を操作し、当該操作に応じて表示部３４の画面上で、これから利用しようとするＩＣ２１を用いて提供されるサービスを選択する。
【００８２】
ステップＳＴ６２：
携帯通信機能部２０は、ステップＳＴ６１で選択されたサービスをＩＣ＿Ｒ／Ｗ装置１１に通知する。
【００８３】
ステップＳＴ６３：
ユーザＡが、ＩＣ２１とＩＣ＿Ｒ／Ｗ装置１５とが無線通信可能な位置に携帯電話装置１４を位置させる。
【００８４】
ステップＳＴ６４：
ＩＣ２１とＩＣ＿Ｒ／Ｗ装置１５とが相互認証を行う。
【００８５】
ステップＳＴ６５：
ステップＳＴ６４の相互認証によって互いの正当性が認証されると、ＩＣ２１がＩＣ＿Ｒ／Ｗ装置１５に、ステップＳＴ６２で通知されたサービスを通知する。
【００８６】
ステップＳＴ６６：
ＩＣ＿Ｒ／Ｗ装置１５からＩＣ２１にアクセス要求が送信される。
【００８７】
ステップＳＴ６７：
ＩＣ２１が、ステップＳＴ６６のアクセス要求に応じて、携帯通信機能部２０にアクセス要求を送信する。
【００８８】
ステップＳＴ６８：
携帯通信機能部２０が、ステップＳＴ２５で受信したアクセス要求に応じて、ＩＣサービス提供サーバ装置１３にアクセス要求を送信する。
【００８９】
ステップＳＴ６９：
携帯通信機能部２０が、ＩＣ２１に中継要求を送信する。
【００９０】
ステップＳＴ７０：
ステップＳＴ６９の中継要求に応じてＩＣ２１がＩＣ＿Ｒ／Ｗ装置１１と携帯通信機能部２０との間の通信を中継し、携帯通信機能部２０およびＩＣ２１を介してＩＣサービス提供サーバ装置１３とＩＣ＿Ｒ／Ｗ装置１５との間で相互認証が行われる。
【００９１】
ステップＳＴ７１：
ステップＳＴ２８の相互認証によって互いの正当性が認証されると、携帯通信機能部２０およびＩＣ２１を介してＩＣサービス提供サーバ装置１３とＩＣ＿Ｒ／Ｗ装置１５とが連携しながら、ＩＣ２１を用いて提供されるステップＳＴ６５で通知されたサービスに関する処理を行う。
【００９２】
ステップＳＴ７２：
ステップＳＴ７１の処理が終了すると、ＩＣサービス提供サーバ装置１３が携帯通信機能部２０の表示部３４に、当該サービスの利用履歴を表示する。
【００９３】
ステップＳＴ７３：
ＩＣ＿Ｒ／Ｗ装置１５が、表示部に処理終了表示を行う。
【００９４】
〔第５の動作例〕
また、通信システム１は、例えば、図１３に示すように、携帯通信機能部２０の画面上でサービスを選択し、ＩＣサービス提供サーバ装置１３とＩＣ＿Ｒ／Ｗ装置１５との間で相互認証を行った後に、これらが通信を行って当該選択されたサービスに関する処理を行ってもよい。
当該動作例では、ＩＣ２１とＩＣ＿Ｒ／Ｗ装置１５との間の通信は、例えば、ＩｒＤＡ，Ｂｌｕｅｔｏｏｔｈ，ワイヤレスＬＡＮなどのローカル通信方式を用いて行われる。
【００９５】
図１３は、当該動作例を説明するためのフローチャートである。
ステップＳＴ８１：
ユーザＡが図６に示す携帯電話装置１４の携帯通信機能部２０の操作部３５を操作し、当該操作に応じて表示部３４の画面上で、これから利用しようとするＩＣ２１を用いて提供されるサービスを選択する。
【００９６】
ステップＳＴ８２：
携帯通信機能部２０は、ステップＳＴ８１で選択されたサービスをＩＣ＿Ｒ／Ｗ装置１１に通知する。
【００９７】
ステップＳＴ８３：
ユーザＡが、ＩＣ２１とＩＣ＿Ｒ／Ｗ装置１５とが無線通信可能な位置に携帯電話装置１４を位置させる。
【００９８】
ステップＳＴ８４：
ＩＣ２１がＩＣ＿Ｒ／Ｗ装置１１と携帯通信機能部２０との間の通信を中継し、携帯通信機能部２０およびＩＣ２１を介してＩＣサービス提供サーバ装置１３とＩＣ＿Ｒ／Ｗ装置１５との間で相互認証が行われる。
【００９９】
ステップＳＴ８５：
ステップＳＴ２８の相互認証によって互いの正当性が認証されると、携帯通信機能部２０およびＩＣ２１を介してＩＣサービス提供サーバ装置１３とＩＣ＿Ｒ／Ｗ装置１５とが連携しながら、ＩＣ２１を用いて提供されるステップＳＴ８２で通知されたサービスに関する処理を行う。
【０１００】
以上説明したように、通信システム１によれば、ＩＣ＿Ｒ／Ｗ装置１５がネットワーク１８に接続されていなくても、携帯電話装置１４を介してＩＣサービス提供サーバ装置１３とＩＣ＿Ｒ／Ｗ装置１５との間で通信が可能になる。
そのため、ＩＣ＿Ｒ／Ｗ装置１５は、携帯電話装置１４との間の通信機能を備えていれば、ＩＣサービス提供サーバ装置１３との間の通信機能を個別に備えてる必要がない。そのため、ＩＣサービス提供サーバ装置１３の構成を簡単にできる。また、ＩＣサービス提供サーバ装置１３とＩＣ＿Ｒ／Ｗ装置１５との間で通信を行うためのスイッチングシステムが不要になる。
【０１０１】
また、通信システム１によれば、携帯電話装置１４がＩＣサービス提供サーバ装置１３との間で確立した回線を使ってＩＣ＿Ｒ／Ｗ装置１５がＩＣサービス提供サーバ装置１３との間で通信を行うため、ＩＣ＿Ｒ／Ｗ装置１５の管理者が通信料金を負担しないようなシステムを構築できる。
【０１０２】
また、通信システム１によれば、携帯電話装置１４がＩＣ＿Ｒ／Ｗ装置１５と通信を行う前に、携帯電話装置１４がＩＣサービス提供サーバ装置１３と通信を行うことで、携帯電話装置１４とＩＣ＿Ｒ／Ｗ装置１５とが通信を行うために用いるユーザＡの個人情報をＩＣサービス提供サーバ装置１３に蓄積することが可能になる。そのため、携帯電話装置１４に蓄積する個人情報を削減、または無くすことができ、携帯電話装置１４が内蔵するメモリの記憶容量を削減できる。
【０１０３】
また、通信システム１によれば、携帯電話装置１４がＩＣサービス提供サーバ装置１３およびＩＣ＿Ｒ／Ｗ装置１５の双方と相互認証を行うことで、いわゆる、なりすましを効果的に防止できる。
【０１０４】
上述した通信システム１の効果は、前述した携帯電話装置１４内に内蔵されたＩＣ２１の構成および作用によって実現される。
また、携帯電話装置１４に内蔵されたＩＣ２１によれば、図７に示すように、ＩＣ＿Ｒ／Ｗ装置１５と通信を行うアンテナ４９の他に、携帯通信機能部２０と通信を行うＩ／Ｆ部４５を設けたことで、携帯通信機能部２０とＩＣ２１との間で相互に相手方を制御することが可能になる。そのため、例えば、一定の条件の下、携帯通信機能部２０がＩＣ２１の機能を無効化したり、ＩＣ２１が携帯通信機能部２０の機能を無効化することができ、サービスの内容およびセキュリティの観点から多様な制御を実現できる。
【０１０５】
本発明は上述した実施形態には限定されない。
上述した実施形態では、携帯電話装置１４内にＩＣ２１が内蔵された場合を例示したが、有線で接続される固定電話、小型情報機器である携帯情報端末（Ｐｅｒｓｏｎａｌ  Ｄｉｇｉｔａｌ  Ａｓｓｉｓｔａｎｔｓ）、時計、コンピュータなど、有線あるいは無線のいずれの方法でもネットワークに接続可能な機能を有する機器にＩＣ２１が内蔵されている場合にも本発明は適用可能である。
また、ＩＣ２１は、通信装置内に着脱自在、あるいは着脱不可のいずれの形態で内蔵されていてもよいし、ＩＣ２１を内蔵するＩＣカード、あるいはメモリカード等の外部記憶媒体を携帯電話装置、携帯情報端末、コンピュータ等に着脱可能に構成してもよい。
【０１０６】
【発明の効果】
以上説明したように、本発明によれば、集積回路（ＩＣ）を用いた電子商取引などの取り引きを行うシステムにおいて処理装置を含むシステム全体の構成を簡単でき、小規模化を図れる通信方法およびそのシステム、通信装置および処理装置を提供することができる。
【図面の簡単な説明】
【図１】図１は、本発明の実施形態の通信システムの全体構成図である。
【図２】図２は、図１に示す通信システムの動作例の概要を説明するための図である。
【図３】図３は、図１に示すＩＣサービス提供サーバ装置の機能ブロック図である。
【図４】図４は、図３に示すＳＡＭの機能ブロック図である。
【図５】図５は、図３に示す制御部の機能ブロック図である。
【図６】図６は、図１に示す携帯電話装置の携帯通信機能部の機能ブロック図である。
【図７】図７は、図１に示す携帯電話装置のＩＣの機能ブロック図である。
【図８】図８は、図１に示すＩＣ＿Ｒ／Ｗ装置の機能ブロック図である。
【図９】図９は、図１に示す通信システムの第１の動作例を説明するための図である。
【図１０】図１０は、図１に示す通信システムの第２の動作例を説明するための図である。
【図１１】図１１は、図１に示す通信システムの第３の動作例を説明するための図である。
【図１２】図１２は、図１に示す通信システムの第４の動作例を説明するための図である。
【図１３】図１３は、図１に示す通信システムの第５の動作例を説明するための図である。
【符号の説明】
１…通信システム、１０…ゲートウェイ、１３…ＩＣサービス提供サーバ装置、１４…携帯電話装置、１５…ＩＣ＿Ｒ／Ｗ装置、１７…無線通信回線、１８…ネットワーク、２０…携帯通信機能部、２１…ＩＣ、３１…音声入出力部、３２…Ａ／Ｄ・Ｄ／Ａ変換部、３３…ＤＳＰ、３４…表示部、３５…操作部、３６…ＩＣ＿Ｉ／Ｆ部、３７…メモリ、３８…制御部、３９…ベースバンド処理部、４０…無線部、４１…アンテナ、４５…Ｉ／Ｆ部、４６…メモリ、４７…アナログ部、４８…制御部、４９…アンテナ、５１…ＳＡＭ、５２…メモリ、５３…制御部、５４…Ｉ／Ｆ部、６１…認証部、６２…暗号・復号部、６３…ＩＣ制御部、６４…ＩＣ関連処理部
【図１】
0004660976.tif 000002
【図２】
0004660976.tif 000003
【図３】
0004660976.tif 000004
【図４】
0004660976.tif 000005
【図５】
0004660976.tif 000006
【図６】
0004660976.tif 000007
【図７】
0004660976.tif 000008
【図８】
0004660976.tif 000009
【図９】
0004660976.tif 000010
【図１０】
0004660976.tif 000011
【図１１】
0004660976.tif 000012
【図１２】
0004660976.tif 000013
【図１３】
0004660976.tif 000014